(57)【要約】      （修正有）【課題】ベッドサイドテーブルをベッドから離して移動する際に、ベッドの脚にベッドサイドテーブルの脚部が引っ掛かることがなく、スムースにベッドから脚部が出し入れできるベッドサイドテーブルを提供する。【解決手段】支柱側脚部３１と、連結枠体３３に取り付け、ベッドＢの下に挿入する挿入側脚部３２が平面Ｈ字状に配置されたベッドサイドテーブル１において、挿入側脚部３２の先端部３２１と連結枠体３３との間に、ベッドＢの脚部Ｂ１に引っ掛からないように、ベッドＢの脚部Ｂ１を案内する案内部材５を設け、案内部材５は半円状の案内枠体５１又は半円状のポール、或いは、三角形の枠体又はポールを挿入側脚部３２の両先端部３２１に掛け渡した。【選択図】図２
2015173896.tif 000002
【特許請求の範囲】
【請求項１】
支柱側脚部と連結枠に取り付け、ベッドの下に挿入する挿入側脚部が平面Ｈ字状に配置されたベッドサイドテーブルにおいて、
前記挿入側脚部の先端部と連結枠体との間に、ベッドの脚部に引っ掛からないように、ベッドの脚部を案内する案内部材を設けたことを特徴とするベッドサイドテーブル。
【請求項２】
前記案内部材は、半円状の案内枠体を前記挿入側脚部の両先端部に掛け渡したことを特徴とする請求項１に記載のベッドサイドテーブル。
【請求項３】
前記案内部材は、半円状の湾曲案内ポールを前記挿入側脚部の両先端部に掛け渡したことを特徴とする請求項１に記載のベッドサイドテーブル。
【請求項４】
前記案内部材は、三角形状の案内枠体又は案内ポールを前記挿入側脚部の両先端部に掛け渡したことを特徴とする請求項１に記載のベッドサイドテーブル。
【発明の詳細な説明】
【技術分野】
【０００１】
本発明は、病院のベッド等に配置するサイドテーブルに関し、さらに詳しくは、ベッドサイドテーブルの脚部をベッド下に配置し、サイドテーブルをベッドの外に移動する際に脚部がベッドの脚に引っ掛かないようにしたサイドテーブルに関するものである。
【背景技術】
【０００２】
従来より、特許文献１に開示されているように、病院のベッド等にはサイドテーブルが配置され、このベッドサイドテーブルの脚部は、平行に２本の枠体を配置し、それぞれの枠体の端部に２個のキャスターが設けられ、合計で４つのキャスターが配置されているが、この脚部の一方をベッドの下の空間に差し入れて配置し、テーブルがベッドの上部空間に位置するようにし、食事等のテーブルとして用いるものである。
また、ベッドサイドテーブルをベッドから離す場合は、キャスターのロック解除レバーを操作して、キャスターを自由に回動させてベッドの下から脚部を引出し、ベッドサイドテーブルを移動させる。
【先行技術文献】
【特許文献】
【０００３】
【特許文献１】特開２０１１−１８２８９６号公報
【発明の概要】
【発明が解決しようとする課題】
【０００４】
前述した特許文献１(特開2011-182896号公報)に開示されるベッドサイドテーブルａは、外観は一般的なもので、図１に示すように、ベッドサイドテーブルａは、テーブル支柱ｂの支柱側脚部ｃと連結枠体ｄに取り付け、ベッドＢの下に挿入する挿入側脚部ｅが平面(底面)Ｈ字状に配置されている。
ところで、病院や養護施設では、ベッドサイドテーブルaをベットＢの足元の脚Ｂ１の近傍に配置してあることが多く、取り出したい時にキャスターｆや挿入側脚部ｅがベッドＢの脚Ｂ１に引っ掛かるといったことが多く、看護業務に支障をきたしていた。これを図１で具体的に説明すると、ベッドサイドテーブルａの挿入側脚部ｅをベッドＢの下に配置して食事等に使用するが、使用後等にサイドテーブルａをベッドＢの外に移動する際には、キャスター操作部の操作レバーｇを操作して、キャスターｆのロックを解除して、ベッドサイドテーブルaを移動可能にして、挿入側脚部ｅもベッドＢの下から引き出すが、往々にして、図１の矢印ｘの部分に示すように、挿入側脚部ｅと連結枠体ｄとが直角に交差しているため、このｘ部分がベッドＢの脚Ｂ1に引っ掛かってしまうことがあり、ベッドサイドテーブルａがスムースにベッドＢの外に出せないので、これを解消するため、一旦元に戻す等のベッド使用者や介護者や看護師等にとって煩わしい作業をしなければならないことがあった。
【０００５】
本発明の課題は、前記の不都合に鑑みてなされたもので、ベッドサイドテーブルをベッドから離して移動する際に、ベッドの脚にベッドサイドテーブルの脚部が引っ掛かることがなく、スムースにベッドから脚部が出し入れできるベッドサイドテーブルを提供するものである。
【課題を解決するための手段】
【０００６】
上記課題を解決するために、請求項１の発明は、支柱側脚部と連結枠体に取り付け、ベッドの下に挿入する挿入側脚部が平面Ｈ字状に配置されたベッドサイドテーブルにおいて、前記挿入側脚部の先端部と連結枠との間に、ベッドの脚部に引っ掛からないように、ベッドの脚部を案内する案内部材を設けたことを特徴とするベッドサイドテーブである。
請求項２の発明は、請求項１に記載のベッドサイドテーブルにおいて、前記案内部材は、半円状の案内枠体を前記挿入側脚部の両先端部に掛け渡したことを特徴とする。
請求項３の発明は、請求項１に記載のベッドサイドテーブルにおいて、前記案内部材は、半円状の案内ポールを前記挿入側脚部の両先端部に掛け渡したことを特徴とする。
請求項４の発明は、請求項１に記載のベッドサイドテーブルにおいて、前記案内部材は、三角形状の案内枠体又は案内ポールを前記挿入側脚部の両先端部に掛け渡したことを特徴とする。
【発明の効果】
【０００７】
請求項１のベッドサイドテーブルの発明によれば、ベッドサイドテーブルをベッドから離して移動する際に、ベッドの脚にベッドサイドテーブルの脚部が引っ掛かることがなく、スムースにベッドから脚部が出し入れでき、ベッド使用者や介護者や看護師等にとって、脚部の位置をずらす等の煩わしい作業をしなくて済む。
請求項２のベッドサイドテーブルの発明によれば、半円状の枠体は木工で制作することができ、安価で温もりある製品とすることができる。
請求項３のベッドサイドテーブルの発明によれば、半円状のポールで制作したので、スッキリとしたデザインの製品とすることができる。
請求項４のベッドサイドテーブルの発明によれば、案内部材をベッドの脚部に合わせて制作することができる。
【図面の簡単な説明】
【０００８】
【図１】従来のベッドサイドテーブルの外観斜視図、
【図２】実施例１のベッドサイドテーブルの外観斜視図、
【図３】図２のベッドサイドテーブルにおける脚部の裏面の底面図、
【図４】実施例２のベッドサイドテーブルの外観斜視図、
【図５】実施例３のベッドサイドテーブルの外観斜視図である。
【発明を実施するための形態】
【０００９】
ここで、本発明の好適なベッドサイドテーブル固定装置の実施例を図面に沿って説明する。
[実施例１]
図２、図３は、本発明のベッドサイドテーブルの実施例１であるが、ベッドサイドテーブル１のテーブル部２の上面は平坦で水平に保たれ、食事等に使用されるようになっており、テーブル部２は一本の支柱部１２によって片側を支持され、この支柱部１２は、通常、ベッド上に位置するテーブル部２の高さを調整するため、伸縮自在になっており、高さ調節レバー１３(図３）によって、支柱部１２の長さを調整している。
【００１０】
この支柱部１２は、基礎部を構成する脚部３に固定され、脚部３は、大凡、Ｈ字状で平行な二本のキャスター付き支柱側脚部３１,挿入側脚部３２と、これを連結する連結枠体３３とから構成され、ベッドサイドテーブル１が転倒しないような形状をしている。前記Ｈ字状で平行な二本の支柱側脚部３１,挿入側脚部３２は、通常、手前の支柱側脚部３１が ベッドＢの外側に配置され、主に支柱部１２を支持し、挿入側脚部３２はベッドＢの下の空間に差し込んでベッドサイドテーブル１が倒れないような位置にするように構成されている。
【００１１】
このベッドサイドテーブル１、特に脚部３の底部には、図３に示すように、その底面はほぼＨ字状で、通常、ベッドＢの外側に位置する支柱側脚部３１の底面の両端部に位置する２箇所に、一対の比較的車輪直径が大きく、旋回ロック機構と車輪回転のロック機構とを有する大型の双輪キャスター４１が取付けられ、支柱部１２から離れ、通常、ベッドＢの下の空間に差し込む挿入側脚部３２の底面の両端部に位置する２箇所にも一対の比較的車輪の直径が小さく、車輪回転のロック機構を有する小型の双輪キャスター４２が取付けられており、移動の際には、これら双輪キャスター４のロック状態が操作レバー４３の操作によって一斉に全部解除され、容易に移動することができる。
【００１２】
脚部３は、支柱側脚部３１と連結枠体３３に取り付け、ベッドＢの下に挿入する挿入側脚部３２が平面Ｈ字状に配置され、挿入側脚部３２の先端部３２１と連結枠体３３の中間部３３１の適宜の位置との間に、ベッドＢの脚Ｂ１に引っ掛からないように、ベッドＢの脚Ｂ１を案内する案内部材５を設けている。
実施例１の案内部材５は、図２、３に示すように、前記挿入側脚部３２の両先端部３２１と連結枠体３３の中間部３３１の間に半円状の案内枠体５１を掛け渡したしている。
【００１３】
[作用]
したがって、図２に示すように、ベッドサイドテーブル１のベッドＢの下の挿入側脚部３２を矢印Ｙ１方向に引出そうとする場合に、通常は挿入側脚部３２がベッドＢの脚Ｂ１が引っ掛かるが、本実施例１では案内部材５の半円状の案内枠体５１の外周ｙ1に沿って、挿入側脚部３２が矢印ｙ11のように移動し、脚Ｂ１に引っ掛かることなくベッドＢの外に移動し、ベッドサイドテーブル１はスムースにベッドＢから移動することができる。
【００１４】
[実施例２]
実施例２は、案内部材５が異なるだけなので、他の構成は実施例１の説明と同じなので省略し、図４に沿って、案内部材５を説明する。
実施例２の脚部３は、支柱側脚部３１と連結枠体３３に取り付け、ベッドＢの下に挿入する挿入側脚部３２が平面Ｈ字状に配置され、挿入側脚部３２の先端部３２１と連結枠体３３の中間部３３１の適宜の位置との間に、ベッドＢの脚Ｂ１に引っ掛からないように、ベッドＢの脚Ｂ１を案内する案内部材５として、半円状の湾曲案内ポール５２を挿入側脚部３２の両先端部３２１、及び、連結枠体３３の中間部３３１に掛け渡したものである。
【００１５】
[作用]
したがって、図４に示すように、ベッドサイドテーブル１のベッドＢの下の挿入側脚部３２を矢印Ｙ２方向に引出そうとする場合に、通常は挿入側脚部３２がベッドＢの脚Ｂ１に引っ掛かるが、本実施例２では案内部材５の湾曲案内ポール５２の外周ｙ2に沿って、挿入側脚部３２が矢印ｙ21のように移動し、脚Ｂ１に引っ掛かることなくベッドＢの外に移動し、ベッドサイドテーブル１はスムースにベッドＢから移動することができる。
【００１６】
[実施例３]
実施例３は、案内部材５が異なるだけなので、他の構成は実施例１の説明とおなじなので省略し、図５に沿って、案内部材５を説明する。
実施例５の脚部３は、支柱側脚部３１と連結枠体３３に取り付け、ベッド下に挿入する挿入側脚部３２が平面Ｈ字状に配置され、挿入側脚部３２の先端部３２１と連結枠体３３の中間部３３１の適宜の位置との間に、ベッドＢの脚Ｂ１に引っ掛からないように、ベッドＢの脚Ｂ１を案内する案内部材５として、直線状の直線案内ポール５３を挿入側脚部３２の両先端部３２１、及び、連結枠体３３の中間部３３１に掛け渡し、全体として三角形状したものである。
【００１７】
[作用]
したがって、図５に示すように、ベッドサイドテーブル１のベッドＢの下の挿入側脚部３２を矢印Ｙ３方向に引出そうとする場合に、通常は挿入側脚部３２がベッドＢの脚Ｂ１が引っ掛かるが、本実施例３では案内部材５の直線案内ポール５３の外周ｙ3に沿って、挿入側脚部３２が矢印ｙ31のように移動し、脚Ｂ１に引っ掛かることなくベッドＢの外に移動し、ベッドサイドテーブル１はスムースにベッドＢから移動することができる。
なお、実施例３の案内部材は直線状直線ポールとしたが、実施例１と同じように、枠体として三角形状を構成してもよい。
なお、本発明の特徴を損なうものでなければ、上記の実施例に限定されるものでないことは勿論である。
【符号の説明】
【００１８】
Ｂ・・ベッド、Ｂ１・・ベッドの脚、
Ｙ１,Ｙ２,Ｙ３・・矢印、y1,y2,y3・・外周、
y11,y21,y31・・矢印
１・・ベッドサイドテーブル、１２・・支柱部、
１３・・高さ調節レバー、
２・・テーブル部、
３・・脚部、３１・・支柱側脚部、３２・・挿入側脚部、
３２１・・先端部、３３・・連結枠体、３３１・・中間部、
４,４１,４２・・双輪キャスター 、４３・・操作レバー
５・・案内部材、５１・・案内枠体、５２・・(湾曲)案内ポール、
５３・・(直線)案内ポール
【図１】
2015173896.tif 000003
【図２】
2015173896.tif 000004
【図３】
2015173896.tif 000005
【図４】
2015173896.tif 000006
【図５】
2015173896.tif 000007